(57)【要約】【課題】CCTV 装置等の監視カメラシステムにおいて、本来監視するための機器であるカメラ装置自体への盗難防止をも含めた監視カメラシステムを提供する。【解決手段】カメラハウジング（カメラケース）の扉及び制御盤の扉に扉開を検知するセンサを設置し、扉が開けられるとアラーム情報を出力する。アラーム情報により制御装置、アラーム発生箇所を確認可能な他カメラ装置に対して制御装置から制御信号を送信しアラーム発生箇所を撮影する。センサは、例えば、接点センサであり、扉が開いたことにより接点が離れたことを検知する。【選択図】図１
2007116572.tif 000002
【特許請求の範囲】
【請求項１】
監視対象区域内を撮像するカメラ装置と、該カメラ装置を収納するカメラハウジングと、制御盤と、該制御盤とネットワークを介して結合し監視を行う監視センタとを備えた監視カメラシステムであって、上記制御盤が上記ネットワークを介して上記監視センタと送受し合い上記カメラ装置と上記カメラハウジングを制御する監視カメラシステムにおいて、
上記カメラハウジング及び上記制御盤はそれぞれの扉に扉が開いたことを検知するセンサを備え、上記センサが、扉が開いたことを検知した場合に、上記制御盤から上記ネットワークを介して上記監視センタにアラーム情報を送信することを特徴とする監視カメラシステム。
【請求項２】
請求項１に記載の監視カメラシステムにおいて、上記監視センタはカメラ装置の情報を記憶したデータベースを有し、上記アラーム情報を受信した場合に、対応するデータベースの情報を取得し、取得した情報に基づいて該当するカメラ装置に関連する情報を送信することを特徴とする監視カメラ装置。
【請求項３】
請求項２に記載の監視カメラシステムにおいて、上記関連する情報は、プリセットポジション情報であることを特徴とする監視カメラシステム。
【発明の詳細な説明】
【技術分野】
【０００１】
本発明は、CCTV システム等の監視カメラシステムに関するものである。
【背景技術】
【０００２】
CCTV（ Closed Circuit Tele-Vision ）システム等の監視カメラシステムにおいては、盗難防止のための監視を行うために、監視対象区域内に赤外線センサなどを設置してセンサ連動を行っている。しかし、監視するカメラ装置自体の盗難については、特殊なボルト等による据付け構造とすることでの盗難対策、または、特殊な錠によるロック機構を採用すること、等で盗難対策としている。
また、据付けしていたボルトを取外されたり、ロック機構を解除された場合の他、カメラ装置本体を収納しているカメラハウジングの扉が空いたこと等によるカメラ装置本体に対する危険情報（アラーム）を検知して警報を発して、監視センタ側に通報することも実施していた（例えば、特許文献１参照。）。
【特許文献１】特開２０００−６７３３２号公報
【発明の開示】
【発明が解決しようとする課題】
【０００３】
CCTV 装置等の監視カメラシステムにおいては、監視用のカメラ装置が、遠隔地に無人で設置されていることが多く、そのような場合には、上記のような盗難対策では、警報等の異常が監視センタ側で分かっても、異常が発生したカメラ装置の設置場所まで係員が行っても時間的に間に合わないので、盗難を防ぐことができないという問題があった。
本発明の目的は、上記のような問題を解決し、本来監視するための機器であるカメラ装置自体への盗難防止をも含めた監視カメラシステムを提供することにある。
【課題を解決するための手段】
【０００４】
上記の目的を達成するため、本発明の監視システムは、以下の手段を用いたものである。即ち、カメラハウジング（カメラケース）の扉及び制御盤の扉に扉開を検知するセンサを設置し、扉が開けられるとアラーム情報を出力する。アラーム情報により制御装置、アラーム発生箇所を確認可能な他カメラ装置に対して制御装置から制御信号を送信しアラーム発生箇所を撮影する。センサは、例えば、接点センサであり、扉が開いたことにより接点が離れたことを検知する。
【０００５】
即ち、本発明の監視システムは、監視対象区域内を撮像するカメラ装置と、カメラ装置を収納するカメラハウジングと、制御盤と、制御盤とネットワークを介して結合し監視を行う監視センタとを備えた監視カメラシステムであって、制御盤がネットワークを介して監視センタと送受し合いカメラ装置とカメラハウジングを制御する監視カメラシステムにおいて、カメラハウジング及び制御盤はそれぞれの扉に扉が開いたことを検知するセンサを備え、センサが、扉が開いたことを検知した場合に、制御盤からネットワークを介して監視センタにアラーム情報を送信するものである。
【０００６】
また、好ましくは、本発明の監視システムの監視センタは、カメラ装置の情報を記憶したデータベースを有し、アラーム情報を受信した場合に、対応するデータベースの情報を取得し、取得した情報に基づいて該当するカメラ装置に関連する情報を送信するものである。
また、好ましくは、この関連する情報は、プリセットポジション情報であることを特徴とする。
【発明の効果】
【０００７】
本発明によれば、特殊な据付けやロック機構を採用した場合にも、カメラ装置自体の盗難防止を行うことができる。操作端末上で 24 時間監視を行っていない場合にも自宅 PC や携帯電話へのメールで異常が通知できる。
【発明を実施するための最良の形態】
【０００８】
本発明の実施例を図１によって説明する。図１は、本発明の一実施例の監視システムの構成を示すブロック図である。10-1 、10-2 、‥‥‥、10-n はカメラ装置、11-1 、11-2 、‥‥‥、11-n はカメラ装置 10-1 、10-2 、‥‥‥、10-n をそれぞれ収納するカメラハウジング、12-1 、12-2 、‥‥‥、12-n はカメラハウジング 11-1 、11-2 、‥‥‥、11-n をそれぞれ搭載する設置台、 20-1、20-2 、‥‥‥、20-n は制御盤、3 はネットワーク、4 は制御装置、5 は記録装置、6 は端末装置である。 PC（Personal Computer ）である。ここで、n は自然数（ n ≧ 1 ）である。設置台 12-1 、12-2 、‥‥‥、12-n は、例えば、旋回台を有している。また、端末装置 6 は、例えば、一般家庭内に設置された PC（Personal Computer ）であり、不特定の台数が存在する。以下、カメラ装置 10-1 、10-2 、‥‥‥、10-n をカメラ装置 10 、カメラハウジング 11-1 、11-2 、‥‥‥、11-n をカメラハウジング 11 、設置台 12-1 、12-2 、‥‥‥、12-n を設置台 12 、及び、制御盤 20-1 、20-2 、‥‥‥、20-n を制御盤 20 と総称して説明する。
【０００９】
図１において、カメラ装置 10 を収納しているカメラハウジング 11 、及び、カメラハウジング 11 を搭載している制御盤 20 の扉には、それぞれ接点センサ（図示しない）が設置されている。加害者が、カメラ装置 10 や制御盤 20 をいたずらするために操作したり、加害または盗難等の外的な行動を起こすためにそれらの扉を開けると、当該接点センサは扉開いたことを検知して、その扉が開いたことを報知するアラーム情報を発報し、ネットワーク 3 を介して制御装置 4 へ送信する。なお、カメラハウジング 11 及び制御盤 20 の接点センサは、共に、制御盤 20 にその発報出力部を備え、制御盤 20 はセンサからの検知情報によって該当するセンサについてあらかじめ定められたアラーム情報を出力する。
【００１０】
制御装置 4 は、アラーム情報を受信すると、受信したアラーム情報から、あらかじめ登録されているデータを参照し、発報した接点センサを備えたカメラ装置 10-1 を特定し、かつ、そのカメラ装置及びその周辺を撮影可能なカメラ装置 10-2 とそのプリセットポジションの情報を取得する。プリセットポジションの情報とは、例えば、ズーム倍率、パン角、チルト角、レンズ絞り条件、またはフレームレート等の情報である。
【００１１】
次に、制御装置 4 は、カメラ装置10-2 に対して、そのプリセットポジションの情報に対応する制御信号をネットワーク 3 を介して送信する。制御装置 4 から制御信号を受信した制御盤 20-2 は、設置台 12-2 及びカメラ装置 10-2 を制御して、カメラ装置 10-2 の視野角を変更し、アラーム情報を発報したカメラ装置 10-1 とその周辺を撮像し、撮像された映像は、制御盤 20 に出力される。制御盤 20 は、入力された映像をネットワーク 3 に伝送可能なデータ形式に変換して、ネットワーク 3 に送出する。また、MPEG（Moving Picture Experts Group ）形式等に圧縮して送出しても良い。
【００１２】
なお、上述のように、アラーム情報を発報したカメラ装置に対して、そのカメラ装置とその周辺を撮像するカメラ装置はあらかじめ定められており、そのプリセットポジションもあらかじめ定められ、制御装置 4 に付属（または内蔵）するメモリに記録されている。このプリセットポジションは固定である必要はなく、所定の時間間隔で複数のポジションを撮像しても良いし、または、所定の速度で、目標のカメラ装置とその周辺を旋回しながら撮像するようにしても良い。
【００１３】
制御装置 4 は、ネットワーク 3 を介して送出されたカメラ装置 10-2 からの映像を受信し、受信したデータを表示可能な形式に変換して、制御装置 4 に結合されている表示装置 41 にアラーム情報を発報したカメラ装置 10-1 とその周辺の映像を表示する。
なお、表示装置 41 は、制御装置 4 に付属して、その周辺に設置されていても良く、遠隔の場所に設置されていても良い。
【００１４】
また例えば、記録装置 5 を備え、制御装置 4 に直接結合されているか、あるいは、ネットワーク 3 を介して結合していて、カメラ装置 10-2 やアラームを発報したカメラ装置 10-1 の映像を記録しても良く、そのほかのカメラ装置 10 が撮像した映像を記録するようにしても良い。（この場合は、それぞれのカメラ装置 10 からの映像をネットワーク 3 を介して記録装置 5 が直接記録する。）。そのとき、映像の記録の他、アラーム情報を記録しても良い。アラーム情報や映像には、取得した時刻（日時）等の時刻情報の他、扉センサ以外のセンサの情報やカメラ装置、設置台、制御盤の状態情報を含んでも良い。
【００１５】
また、制御装置 4 あるいは記録装置 5 は、あらかじめ設定されているアドレスにアラームメールを送信することも可能で、自宅 PC 6 や携帯電話に対してカメラ装置側での異常通知を行う。
【００１６】
上記実施例に拠れば、特殊な据付け構造やロック機構を採用した場合にも、本来は対象区域をそれぞれ監視しているカメラ装置を、カメラ装置本体に対する危険情報（アラーム）発生時には、アラームを発生したカメラ装置を他のカメラ装置が監視するようにて、カメラ装置間で相互に監視することで、カメラ装置自体の盗難防止または盗難犯の割り出しを比較的容易に行うことができる。
【００１７】
また、操作端末上で 24 時間監視を行っていない場合にも自宅 PC や携帯電話へのメールで異常が通知できるので、異常の検知が迅速にできる。
図２によって、その一実施例を説明する。図２は、本発明の制御装置の一実施例の処理動作例を説明するためフローチャートである。
【００１８】
図２において、制御装置（例えば、図１の制御装置 4 ）は、監視システムが稼動しているときは、ステップ 201 で、カメラ装置 10 のカメラハウジング 11 または制御盤 20 の扉が開いたことを検知したことによるアラーム情報を、ネットワーク 3 を介して受信したか否かを所定時間間隔で判定しており、受信したと判定した場合は、ステップ 202 に進み、受信しなかった判定した場合には、ステップ 201 に戻る（再び、所定時間後に判定を行う。）。
【００１９】
ステップ 202 では、アラーム発生箇所から監視可能なカメラ装置とそのプリセット情報、並びに携帯電話または PC のメール配信先のメールアドレスをデータベースから取得し、ステップ 203 に進む。なお、メール配信先のメールアドレスは、あらかじめデータベースに登録しておく。
ステップ 203 では、取得した監視可能なカメラ装置に、そのプリセット情報を送信し、更に、記録装置 5 に録画指示を行い、ステップ 204 に進む。
ステップ 204 では、情報を受信したカメラ装置は、それぞれ受信したプリセット情報に基づいてプリセット動作（パン角の変更、チルト角の変更、ズーム倍率の変更、レンズ絞り条件の変更、またはフレームレートの変更の少なくともいずれか１つ）を行いステップ 205 に進む。
更に記録装置 5 は、それらのカメラ装置から送信される映像の記録を開始する。
ステップ 205 では、取得したメールアドレスにカメラ装置の異常通知をメール配信し、ステップ 201 に戻る。
なお、自宅 PC とは、家庭用 PC に限らず、例えば、その特定のメールアドレスが意味するサーバを見に行けばメールを開くことができれば良い。
【００２０】
上記動作の解除は、作業者がカメラ装置のメンテナンスを行う場合に必要となる。従って、例えば、メンテナンスを行う作業者が目的のカメラ装置に到着したことを監視センタ側で、作業者が到着したことを映像で確認してから解除するようにしても良い。また、作業者がメンテナンスする予定時間帯だけ解除することにしても良い。
【００２１】
次に、カメラ装置自身が盗難を防止するための実施例を説明する。
図１において、加害者が、カメラ装置 10 や制御盤 20 をいたずらするために操作したり、加害または盗難等の外的な行動を起こすためにカメラハウジングの扉を開けると、当該接点センサは扉開いたことを検知して、その扉が開いたことを報知するアラーム情報を発報し、ネットワーク 3 を介して制御装置 4 へ送信する。
カメラ装置 10 は、音発生のためのスピーカを備え、このアラーム情報により警報音を出力するように、あらかじめ設定している。警報音は、加害者が驚いてしまうような大きな音量が望ましい。更に、制御装置 4 は、ネットワーク 3 を介して、発報したカメラ装置 10 に近いカメラ装置に信号を送り、それらのカメラ装置からも同様の大きな音量の警報音を出力させる。
【００２２】
このとき、更に、アラーム情報を発報したカメラ装置 10 は、パン角、チルト角、及びズーム倍率を変更してカメラハウジング 11 の扉付近を撮像し、加害者を撮像するようにしても良い。撮像された映像は、例えば記録したり、例えばネットワークを介して送信される。
また、更に、アラーム情報を発報したカメラ装置 10 は、パン角とチルト角を変更して、加害者が危険を感じるように、例えば、不規則な回転をしたり、急回転や急反転したりしても良い。
また、カメラ装置 10 は、加害者の発声等を収集するためのマイクを備え、加害者の声等の音情報を取得して、記録したり、ネットワークを介して送信しても良い。
【図面の簡単な説明】
【００２３】
【図１】本発明の一実施例の監視システムの構成を示すブロック図。
【図２】本発明の制御装置の一実施例の処理動作例を説明するためフローチャート。
【符号の説明】
【００２４】
10，10-1，10-2，‥‥‥，10-n:カメラ装置、  11，11-1，11-2，‥‥‥，11-n：カメラハウジング、  12，12-1，12-2，‥‥‥，12-n：設置台、  20，20-1，20-2，‥‥‥，20-n：制御盤、  3：ネットワーク、  4：制御装置、  5：記録装置、  6：端末装置。
【図１】
2007116572.tif 000003
【図２】
2007116572.tif 000004